(57)【要約】【課題】放電電極の構造が改善されたプラズマディスプレイパネルを提供する。【解決手段】前面基板２１０と、前面基板２１０と対向するように配置された背面基板２２０と、前面基板２１０と背面基板２２０との間に配置され、前面基板２１０及び背面基板２２０と共に放電セルを画定する誘電体壁２３０と、誘電体壁２３０内に埋め込まれ、放電セルの第１角部を取り囲むように配置されたＸ電極２４０と、誘電体壁２３０内に埋め込まれ、第１角部と対角線方向の第２角部を取り囲むように配置されたＹ電極２５０と、誘電体壁２３０内に埋め込まれ、Ｙ電極２５０と交差する方向に配置されたアドレス電極２６０と、放電セル内に塗布された赤、緑、及び青色の蛍光体層２９０と、を含む。【選択図】図２
2006059808.tif 000002
【特許請求の範囲】
【請求項１】
前面基板と、
前記前面基板と対向するように配置された背面基板と、
前記前面基板と前記背面基板との間に配置され、前記前面基板及び背面基板と共に放電セルを画定する誘電体壁と、
前記誘電体壁内に埋め込まれ、前記放電セルの第１角部を取り囲むように配置されたＸ電極と、
前記誘電体壁内に埋め込まれ、前記第１角部と対角線方向の第２角部を取り囲むように配置されたＹ電極と、
前記誘電体壁内に埋め込まれ、前記Ｙ電極と交差する方向に配置されたアドレス電極と、
前記放電セル内に塗布された赤、緑、及び青色の蛍光体層と、
を備えることを特徴とする、放電電極の構造が改善されたプラズマディスプレイパネル。
【請求項２】
前記Ｘ電極は、隣接して配置される前記放電セルに沿って延び、前記Ｙ電極は、前記Ｘ電極が延びる前記放電セルの一側に対向する他側において、前記Ｘ電極と平行に延びることを特徴とする請求項１に記載の放電電極の構造が改善されたプラズマディスプレイパネル。
【請求項３】
前記Ｘ電極は、ストリップ状のＸ電極ラインと、前記Ｘ電極ラインから前記Ｙ電極に向かって突出して当該Ｘ電極ラインと共に前記放電セルの前記第１角部を取り囲むＸ電極突出部と、を含むことを特徴とする請求項２に記載の放電電極の構造が改善されたプラズマディスプレイパネル。
【請求項４】
前記Ｙ電極は、ストリップ状のＹ電極ラインと、前記Ｙ電極ラインから前記Ｘ電極に向かって突出して当該Ｙ電極ラインと共に前記放電セルの前記第２角部を取り囲むＹ電極突出部と、を含むことを特徴とする請求項２に記載の放電電極の構造が改善されたプラズマディスプレイパネル。
【請求項５】
前記Ｘ電極及びＹ電極は、前記放電セルの対向する両側において互いの突出部が交互に配置されたコーム状部材であることを特徴とする請求項２に記載の放電電極の構造が改善されたプラズマディスプレイパネル。
【請求項６】
前記アドレス電極は、前記Ｙ電極突出部が突出する方向と平行に配置されていることを特徴とする請求項４に記載の放電電極の構造が改善されたプラズマディスプレイパネル。
【請求項７】
前記アドレス電極は、当該アドレス電極と一体で、前記Ｙ電極ラインと平行に突出したアドレス電極突出部をさらに備えたことを特徴とする請求項６に記載の放電電極の構造が改善されたプラズマディスプレイパネル。
【請求項８】
前記アドレス電極は、前記Ｙ電極と交差する方向に配置されたコーム状部材であることを特徴とする請求項７に記載の放電電極の構造が改善されたプラズマディスプレイパネル。
【請求項９】
前記Ｘ電極及びＹ電極は、同じ平面上に配置され、前記アドレス電極は、前記Ｘ電極及びＹ電極の上方または下方に配置されたことを特徴とする請求項１に記載の放電電極の構造が改善されたプラズマディスプレイパネル。
【請求項１０】
前記アドレス電極は、少なくとも一部分の体積が他の部分の体積より大きく形成されたことを特徴とする請求項１に記載の放電電極の構造が改善されたプラズマディスプレイパネル。
【請求項１１】
前記アドレス電極は、前記基板の端部から中央部に向かって断面積が次第に増大することを特徴とする請求項１に記載の放電電極の構造が改善されたプラズマディスプレイパネル。
【請求項１２】
前記誘電体壁と前記背面基板との間には、前記誘電体壁と対応する形状の隔壁がさらに配置され、前記蛍光体層は、前記隔壁の内側表面に塗布されていることを特徴とする請求項１に記載の放電電極の構造が改善されたプラズマディスプレイパネル。
【請求項１３】
前記誘電体壁の内側表面には、２次電子の放出を増加させるために保護膜層がさらに形成されていることを特徴とする請求項１２に記載の放電電極の構造が改善されたプラズマディスプレイパネル。
【発明の詳細な説明】
【技術分野】
【０００１】
本発明は、プラズマディスプレイパネル（ＰＤＰ：Ｐｌａｓｍａ  Ｄｉｓｐｌａｙ  Ｐａｎｅｌ）に係り、さらに詳細には、放電セルの周囲に沿ってアドレッシング放電を起こす放電電極が誘電体壁内に埋め込まれて高速アドレッシングすることができる放電電極の構造が改善されたＰＤＰに関する。
【背景技術】
【０００２】
通常的に、ＰＤＰは、複数の放電電極が形成された二つの基板の間に放電ガスを注入して放電させ、これにより発生する紫外線によって蛍光体層の蛍光物質を励起させて所望の数字、文字、またはグラフィックを表示する平板表示装置を称す。
【０００３】
図１は、通常的な３電極面放電型のＰＤＰ１００である。
【０００４】
図面を参照すれば、ＰＤＰ１００は、前面基板１１０と、前面基板１１０と対向するように配置された背面基板１５０と、前面基板１１０の内面に配置されたＸ電極１２１及びＹ電極１２２と、Ｘ電極１２１及びＹ電極１２２を埋め込む前面誘電体層１３０と、前面誘電体層１３０の表面にコーティングされた保護膜層１４０と、背面基板１５０の内面に配置されたアドレス電極１６０と、アドレス電極１６０を埋め込む背面誘電体層１７０と、前面基板１１０と背面基板１７０との間に配置された隔壁１８０と、隔壁１８０の内側に形成された赤、緑、及び青色の蛍光体層１９０と、を含んでなる。このとき、Ｘ電極１２１は、第１透明電極ライン１２１ａと、第１透明電極ライン１２１ａ上に形成された第１バス電極ライン１２１ｂと、を含み、Ｙ電極１２２は、第２透明電極ライン１２２ａと、第２透明電極ライン１２２ａ上に形成された第２バス電極ライン１２２ｂと、を含んでなる。
【０００５】
このような構造のＰＤＰ１００は、Ｙ電極１２２とアドレス電極１６０とに電気的信号を印加して放電セルを選択し、Ｘ電極１２１とＹ電極１２２とに交互に電気信号を印加して前面基板１１０の内面から面放電が起こって紫外線が発生し、選択された放電セルの蛍光体層１９０から可視光が放出されて静止画像または動画を表示することができる。
【０００６】
しかし、従来のＰＤＰ１００は、次のような問題点を有している。
【０００７】
第一に、Ｘ電極１２１とＹ電極１２２との放電ギャップから放電が開始されて、Ｘ電極１２１及びＹ電極１２２の外側に放電が広がる構造である。このように、放電は、前面基板１１０の平面方向に広がるので、放電セル全体の空間活用度が低い。
【０００８】
第二に、放電セル内に１０体積％以上の高濃度Ｘｅガスを注入する場合、原子のイオン化及び励起反応によって、荷電粒子と励起種の生成が増加して、輝度及び放電効率が向上するが、高濃度Ｘｅガスを適用するために、初期放電開始電圧が高まるという短所がある。
【０００９】
第三に、Ｘ電極１２１、Ｙ電極１２２、バス電極１２３、及び保護膜層１４０が前面基板１１０の内面に形成されているので、可視光線の透過率が６０％にも達しなくなる。したがって、輝度が低下する。
【００１０】
第四に、ＰＤＰ１００を長時間駆動する場合、放電が蛍光体層１９０に向かって広がる。これにより、放電ガスの荷電粒子が電界によって蛍光体層１９０にイオンスパッタリングを起こすことによって、永久残像を生成させる。
【発明の開示】
【発明が解決しようとする課題】
【００１１】
本発明は、上記の問題点を解決するためにされたものである。
【００１２】
したがって、本発明の目的は、放電セルの周囲に沿って放電電極が配置されて光透過率を向上させた放電電極の構造が改善されたＰＤＰを提供することである。
【００１３】
本発明の他の目的は、放電電極が放電セルの対角線方向で対向放電を起こして蛍光体層に衝突するイオンの量を減らし、イオンスパッタリングを防止することによってパネルの寿命を向上させた放電電極の構造が改善されたＰＤＰを提供することである。
【００１４】
本発明のさらに他の目的は、Ｙ電極とアドレス電極とを何れも放電セルの周囲に沿って交差するように隣接して配置し、低電圧駆動及び高速アドレッシングを可能にした放電電極の構造が改善されたＰＤＰを提供することである。
【課題を解決するための手段】
【００１５】
上記の目的を達成するために、本発明の一側面による放電電極の構造が改善されたＰＤＰは、前面基板と、前記前面基板と対向するように配置された背面基板と、前記前面基板と前記背面基板との間に配置され、前記前面基板及び背面基板と共に放電セルを画定する誘電体壁と、前記誘電体壁内に埋め込まれ、前記放電セルの第１角部を取り囲むように配置されたＸ電極と、前記誘電体壁内に埋め込まれ、前記第１角部と対角線方向の第２角部を取り囲むように配置されたＹ電極と、前記誘電体壁内に埋め込まれ、前記Ｙ電極と交差する方向に配置されたアドレス電極と、前記放電セル内に塗布された赤、緑、及び青色の蛍光体層と、を含むことを特徴とする。
【００１６】
また、前記Ｘ電極は、隣接して配置される前記放電セルに沿って延び、前記Ｙ電極は、前記Ｘ電極が延びる前記放電セルの一側に対向する他側において、前記Ｘ電極と平行に延びることを特徴とする。
【００１７】
さらに、前記Ｘ電極は、ストリップ状のＸ電極ラインと、前記Ｘ電極ラインから前記Ｙ電極に向かって突出して当該Ｘ電極ラインと共に前記放電セルの前記第１角部を取り囲むＸ電極突出部と、を含むことを特徴とする。
【００１８】
また、前記Ｙ電極は、ストリップ状のＹ電極ラインと、前記Ｙ電極ラインから前記Ｘ電極に向かって突出して当該Ｙ電極ラインと共に前記放電セルの前記第２角部を取り囲むＹ電極突出部と、を含むことを特徴とする。
【００１９】
さらに、前記アドレス電極は、前記Ｙ電極突出部が配置された方向と平行に配置されたことを特徴とする。
【００２０】
また、前記Ｘ電極及びＹ電極は、同じ平面上に配置され、前記アドレス電極は、前記Ｘ電極及びＹ電極の上方または下方に配置されたことを特徴とする。
【００２１】
また、前記アドレス電極は、少なくとも一部分の体積が他の部分の体積より大きく形成されたことを特徴とする。
【００２２】
また、前記アドレス電極は、前記基板の端部から中央部に向かって断面積が次第に増大することを特徴とする。
【発明の効果】
【００２３】
本発明の放電電極の構造が改善されたＰＤＰによれば、次のような効果が得られる。
【００２４】
第一に、放電セルの側面に沿って放電を具現して、放電面が大きく拡大される。
【００２５】
第二に、可視光線が透過される基板の内部に放電電極、誘電体層、及び保護膜層が形成されていないので、開口率が大きく向上する。
【００２６】
第三に、放電が放電セルの角部から発生して中央部に広がるので、放電効率が向上し、維持放電時にイオン粒子の経路が蛍光体層の水平方向に形成されるので、蛍光体層のイオンスパッタリングを防止して寿命を向上させることができる。
【００２７】
第四に、Ｙ電極とアドレス電極とが誘電体壁内に隣接して埋め込まれているので、電極間の距離が短縮され、低電圧駆動及び高速アドレッシングを実現することができる。
【発明を実施するための最良の形態】
【００２８】
以下、添付された図面を参照しつつ、本発明のＰＤＰを詳細に説明する。
【００２９】
（第１の実施の形態）
図２は、本発明の第１の実施の形態によるＰＤＰ２００の分解斜視図である。
【００３０】
図面を参照すれば、ＰＤＰ２００は、前面基板２１０と、前面基板２１０と平行に配置された背面基板２２０と、を含む。前面基板２１０及び背面基板２２０の対向する内側の各面には、端部に沿ってフリットガラスが塗布されて内部空間を密閉させている。
【００３１】
前面基板２１０は、透明な基板、例えば、ソーダライムガラスからなる。背面基板２２０は、前面基板２１０と実質的に同じ素材で形成されている。
【００３２】
前面基板２１０と背面基板２２０との間には、これらと共に放電セルを画定する誘電体壁２３０が介在されている。誘電体壁２３０は、ガラスペーストに各種のフィラーを添加してなる。
【００３３】
誘電体壁２３０は、ＰＤＰ２００のＸ方向に配置された第１誘電体壁２３１と、ＰＤＰ２００のＹ方向に配置された第２誘電体壁２３２を含んでいる。第２誘電体壁２３２は、隣接した一対の第１誘電体壁２３１の内側壁から向かい合う方向に一体に延びて、格子状の放電セルを画定している。なお、図２に示されるとおり、Ｘ方向は、Ｙ方向に対して略垂直である。
【００３４】
選択的に、誘電体壁２３０には、メアンダー型（蛇行型）、デルタ型、六角形型、及びハニカム型など、多様な実施の形態が存在する。また、誘電体壁２３０によって画定された放電セルは、矩形以外にも、他の多角形や円形など、放電セルを画定できる構造ならば、何れか一つに限定されるものではない。
【００３５】
誘電体壁２３０の内部には、Ｘ電極２４０、Ｙ電極２５０、及びアドレス電極２６０が埋め込まれている。Ｘ電極２４０、Ｙ電極２５０、及びアドレス電極２６０は、放電セルの周囲に沿って配置されている。また、Ｘ電極２４０、Ｙ電極２５０、及びアドレス電極２６０は、互いに電気的に絶縁されているので、異なる電圧の印加が可能である。
【００３６】
誘電体壁２３０の放電セルを画定する内側の面には、２次電子を放出できるようにマグネシウム酸化物（ＭｇＯ）のような素材からなる保護膜層２７０が堆積されている。保護膜層２７０は、各放電セルに適用されている。
【００３７】
誘電体壁２３０と背面基板２２０との間には、隔壁２８０がさらに形成されている。隔壁２８０は、誘電体壁２３０とは違って、低誘電性の素材で形成されている。隔壁２８０は、誘電体壁２３０と対応する部分に、誘電体壁２３０と実質的に同じ形状に形成されている。
【００３８】
隔壁２８０は、第１誘電体壁２３１と平行（Ｘ方向）に配置された第１隔壁２８１と、第２誘電体壁２３２と平行（Ｙ方向）に配置された第２隔壁２８２と、を備えている。第１及び第２隔壁２８１，２８２は、相互一体に結合されて、格子形状をなしている。
【００３９】
誘電体壁２３０のみが前面基板２１０と背面基板２２０との間に形成される場合には、単一壁が放電セルを画定する。誘電体壁２３０及び隔壁２８０が前面基板２１０と背面基板２２０との間に形成される場合には、誘電性が異なる素材からなる二重壁が放電セルを画定する。
【００４０】
一方、前面基板２１０、背面基板２２０、誘電体壁２３０、及び隔壁２８０によって画定された放電セル内には、Ｎｅ−Ｘｅ（ネオン−キセノン）、及びＨｅ−Ｘｅ（ヘリウム−キセノン）などのような放電ガスが注入されている。
【００４１】
また、放電セル内には、放電ガスから発生した紫外線によって励起されて可視光線を放出する赤、緑、及び青色の蛍光体層２９０が形成されている。このとき、蛍光体層２９０は、放電セルのいかなる場所にもコーティングされることができる。本実施の形態では、隔壁２８０の内側壁及び背面基板２２０上に所定の厚さでコーティングされている。
【００４２】
赤、緑、及び青色の蛍光体層２９０は、各放電セルにコーティングされている。赤色の蛍光体層は、（Ｙ，Ｇｄ）ＢＯ３：Ｅｕ＋３からなり、緑色の蛍光体層は、Ｚｎ２ＳｉＯ４：Ｍｎ２＋からなり、青色の蛍光体層は、ＢａＭｇＡｌ１０Ｏ１７：Ｅｕ２＋からなることが望ましい。
【００４３】
ここで、Ｘ電極２４０とＹ電極２５０とは、放電セルの対角線方向に対向放電を起こすように配置され、Ｙ電極２５０とアドレス電極２６０とは、上下に配置されている。
【００４４】
さらに詳細に説明すれば、次の通りである。
【００４５】
図３は、図２の放電電極を示す平面図であり、図４は、図３の放電電極を示す斜視図である。
【００４６】
図３及び図４を参照すれば、ＰＤＰ２００は、Ｘ方向に配置された第１誘電体壁２３１と、Ｙ方向に配置された第２誘電体壁２３２と、を含んでいる。第１誘電体壁２３１と第２誘電体壁２３２との結合によって形成される放電セル３１０は、矩形であり、放電セル３１０は、Ｘ方向及びＹ方向に沿って所定の間隔で離隔されて連続的に配置されている。
【００４７】
誘電体壁２３０内には、Ｘ電極２４０が埋め込まれている。Ｘ電極２４０は、放電セル３１０の第１角部３１１を取り囲むように配置されている。Ｘ電極２４０は、放電セル３１０のＸ方向に沿って配置されたＸ電極ライン２４１を備えている。Ｘ電極ライン２４１は、ストリップ状であり、第１誘電体壁２３１ごとに１個のストリップ部材が配置された構造である。
【００４８】
Ｘ電極ライン２４１には、放電セル３１０のＹ方向に沿ってＸ電極突出部２４２が一体に連結されている。Ｘ電極突出部２４２の長さは、放電セル３１０のＹ方向の側面の長さに対応する。Ｘ電極突出部２４２は、第２誘電体壁２３２ごとに１個以上配置されている。
【００４９】
このように、Ｘ電極２４０は、Ｘ電極ライン２４１と、Ｘ電極ライン２４１の側壁から一体に延びたＸ電極突出部２４２との結合によって、放電セル３１０の第１角部３１１を取り囲む構造である。また、Ｘ電極２４０は、コーム状の部材である。選択的に、Ｘ電極２４０は、第１角部３１１を取り囲む構造ならば、必ずしもコーム状に限定されるものではない。
【００５０】
誘電体壁２３０の内部には、Ｙ電極２５０が埋め込まれている。Ｙ電極２５０は、第１角部３１１と対角線方向の第２角部３１２を取り囲むように配置されている。Ｙ電極２５０は、Ｘ電極２４０が延びた放電セル３１０の一側に対向する放電セル３１０の他側において、Ｘ電極ライン２４１と平行に延びたＹ電極ライン２５１を備えている。
【００５１】
Ｙ電極ライン２５１は、各放電セル３１０において維持放電を起こすＸ電極ライン２４１と対をなしており、放電セル３１０を中心にＸ電極ライン２４１が配置された部分の反対側に配置されている。Ｙ電極ライン２５１は、ストリップ状である。Ｙ電極ライン２５１は、第１誘電体壁２３１ごとに１個のストリップ部材が配置されている。
【００５２】
Ｙ電極ライン２５１には、放電セル３１０のＹ方向に沿ってＹ電極突出部２５２が突出している。Ｙ電極突出部２５２の長さは、放電セル３１０のＹ方向の側面の長さに対応する。Ｙ電極突出部２５２は、第２誘電体壁２５２ごとに１個以上配置されている。
【００５３】
このように、Ｙ電極２５０は、Ｙ電極ライン２５１と、Ｙ電極ライン２５１の側壁から一体に延びたＹ電極突出部２５２との結合によって、放電セル３１０の第２角部３１２を取り囲む構造である。また、Ｙ電極２５０は、コーム状の部材である。
【００５４】
選択的には、Ｘ電極２４０が放電セル３１０の一側の両角部を取り囲むように配置され、Ｙ電極２５０が放電セル３１０の他側の両角部を取り囲むように配置されることもあるなど、何れか一つの形状に限定されるものではない。
【００５５】
また、Ｘ電極２４０とＹ電極２５０とは、放電セル３１０の対向する両側においてＸ電極突出部２４２とＹ電極突出部２５２とが交互に配置されているコーム状の部材である。
【００５６】
一方、誘電体壁２３０の内部には、Ｙ電極２５０と交差する方向にアドレス電極２６０が埋め込まれている。アドレス電極２６０は、Ｙ電極２５０の上方に配置されている。
【００５７】
アドレス電極２６０は、Ｙ電極ライン２５１と交差し、Ｙ電極突出部２５２が突出した方向に延びるように配置されたアドレス電極ライン２６１を備えている。アドレス電極ライン２６１は、ストリップ状である。アドレス電極ライン２６１は、第２誘電体壁２３２ごとに１個ずつ配置されている。
【００５８】
アドレス電極ライン２６１には、アドレス電極ライン２６１と一体にアドレス電極突出部２６２が連結されることができる。アドレス電極突出部２６２は、Ｙ電極ライン２５１と平行に配置されている。アドレス電極突出部２６２は、Ｙ電極ライン２５１と対応する部分に配置されている。このように、アドレス電極ライン２６１と、アドレス電極ライン２６１の側壁から一体に連結されたアドレス電極突出部２６２とは、コーム状の部材を構成する。
【００５９】
Ｘ電極２４０、Ｙ電極２５０、及びアドレス電極２６０は、放電セル３１０の内側ではなく、放電セル３１０の周囲に沿って配置されている。したがって、パネル２００の開口率と関係ないので、導電性に優れる銀ペースト、及びクロム−銅−クロム（Ｃｒ−Ｃｕ−Ｃｒ）などの不透明な物質を利用することができる。
【００６０】
上記のような構造を有するＰＤＰ２００の作用を、図３及び図２のＩ−Ｉ線に沿った図５を参照して説明すれば、次の通りである。
【００６１】
まず、外部の電源からアドレス電極２６０とＹ電極２５０との間に所定のパルス電圧が印加されて、発光する放電セル３１０が選択される。選択された放電セル３１０の内側には、壁電荷が蓄積される。
【００６２】
このとき、アドレス電極２６０とＹ電極２５０とは、誘電体壁２３０内で上下に分離配置されており、アドレス電極ライン２６１とＹ電極突出部２５２とは、放電セル３１０のＹ方向に沿って平行に配置されている。アドレス電極突出部２６２とＹ電極ライン２５１とは、放電セル３１０のＸ方向に沿って平行に配置されている。
【００６３】
このように、アドレス電極２６０とＹ電極２５０との距離が従来の場合より短くなるにつれて、アドレス電極２６０とＹ電極２５０との間に印加されるパルス電圧は、アドレス電極２６０が背面基板２２０上に配置された従来の場合よりも低くされることができる。また、アドレス電極２６０とＹ電極２５０との間のアドレッシング速度も速くなる。
【００６４】
次いで、Ｘ電極２４０に“＋”電圧が印加され、Ｙ電極２５０に、これより相対的に高い電圧が印加されれば、Ｘ電極２４０とＹ電極２５０との間に印加された電圧差によって、壁電荷が移動する。
【００６５】
このとき、Ｘ電極２４０は、放電セル３１０の第１角部３１１を取り囲んでおり、Ｙ電極２５０は、第１角部３１１と対角線方向の第２角部３１２を取り囲んでいる。
【００６６】
壁電荷の移動により、壁電荷が放電セル３１０内の放電ガス原子と衝突して、放電を起こしてプラズマを生成させる。このような放電は、相対的に強い電界が形成される第１角部３１１と第２角部３１２とから開始されて放電セル３１０の中心部に拡大される。
【００６７】
このような方式で放電が形成された後、Ｘ電極２４０とＹ電極２５０との電位差が放電電圧より低くなれば、放電は、それ以上発生せず、空間電荷及び壁電荷が放電セル３１０に形成される。このとき、Ｘ電極２４０とＹ電極２５０とに印加された電圧の極性を互いに変えれば、壁電荷の助けを受けて、放電が再び発生する。このように、Ｘ電極２４０とＹ電極２５０との極性を直ちに変えることによって、最初の放電過程が繰り返される。このような過程を繰り返すことによって、放電が安定的に発生する。
【００６８】
このとき、放電によって生成された紫外線は、各放電セル３１０に塗布されている蛍光体層２９０の蛍光物質を励起させる。このような過程を通じて可視光を得る。生成された可視光は、放電セル３１０に放出されて静止画像または動画を表示する。
【００６９】
（第２の実施の形態）
図６は、本発明の第２の実施の形態によるＰＤＰ６００を示す図面である。
【００７０】
図面を参照すれば、ＰＤＰ６００は、前面基板６１０と背面基板６２０とを含んでいる。前面基板６１０と背面基板６２０との間には、誘電体壁６３０が配置されている。誘電体壁６３０の側壁には、保護膜層６７０が堆積されている。誘電体壁６３０と背面基板６２０との間には、誘電体壁６３０と実質的に対応する形状の隔壁６８０が配置されている。隔壁６８０の内側には、各放電セルＤ別に赤、緑、及び青色の蛍光体層６９０がコーティングされている。
【００７１】
一方、前面基板６１０、背面基板６２０、誘電体壁６３０、及び隔壁６８０によって画定された放電セルＤ内には、Ｎｅ−Ｘｅや、Ｈｅ−Ｘｅのような放電ガスが注入されている。
【００７２】
ここで、誘電体壁６３０内には、放電セルＤの周囲に沿って複数の放電電極が埋め込まれており、Ｙ電極６５０とアドレス電極６６０とは、上下に分離配置されており、アドレス電極６６０は、電気抵抗を減らすことができる構造を有している。
【００７３】
放電セルＤにおいて、対向する両側にＸ電極６４０とＹ電極６５０とが配置されている。第１の実施の形態と同様に、Ｘ電極６４０は、放電セルＤの一方向に配置されたＸ電極ラインと、Ｘ電極ラインからＹ電極６５０に向かって突出して放電セルＤの第１角部を取り囲むＸ電極突出部を含んでおり、Ｙ電極６５０もＸ電極６４０と平行に配置されたＹ電極ラインと、Ｙ電極ラインからＸ電極６４０に向かって突出して第１角部と対角線方向の第２角部を取り囲むＹ電極突出部と、を含んでいる。
【００７４】
Ｙ電極６５０の上方には、アドレス電極６６０が配置されている。アドレス電極６６０は、アドレッシング放電時に放電セルを選択するために、Ｙ電極６５０と交差する方向に配置されている。アドレス電極６６０は、相対的に前面基板６１０と隣接して配置され、Ｙ電極６５０は、相対的に背面基板６２０と隣接して配置されている。
【００７５】
アドレス電極６６０も、Ｙ電極ラインと直交する方向に配置されたアドレス電極ラインと、アドレス電極ラインからＹ電極ラインと平行に延びたアドレス電極突出部と、を含んでいる。
【００７６】
このとき、アドレス電極６６０は、ストリップ状の電極のライン抵抗を減らすために、少なくとも一部分の体積が他の部分の体積より大きく形成されている。
【００７７】
このようなアドレス電極６６０は、ライン抵抗に応じて多様な形態に設計できる。すなわち、パネルの端部から中央部へ行くほど、断面積が大きくなるように形成されることもあり、パネルの全体領域のうち少なくとも一部分の体積を他の部分の体積よりも大きく形成されることもあるなど何れか一つの実施の形態に限定されるものではない。
【００７８】
本実施の形態では、アドレス電極６６０は、ストリップ状の第１アドレス電極部６６１と、第１アドレス電極部６６１と所定の間隔で離隔されて配置されたストリップ状の第２アドレス電極部６６２と、第１アドレス電極部６６１と第２アドレス電極部６６２とを一体に連結するための連結部６６３と、を含んでいる。
【００７９】
第１アドレス電極部６６１と第２アドレス電極部６６２とは、実質的に同じ幅及び高さで形成されて同じ体積を有している。連結部６６３は、第１アドレス電極部６６１の中央部と、第２アドレス電極部６６２の中央部とを連結している。
【００８０】
このように、アドレス電極６６０は、第１アドレス電極部６６１と、第２アドレス電極部６６２と、その間を連結する連結部６６３とで、ほぼ“Ｈ”型の断面を有する。このような構造にすると、アドレス電極６６０の一部分の体積を変化させることにより、ライン抵抗に関連して、アドレッシング放電時の駆動電圧を低減することができ、消費電力を低減することができる。なお、アドレス電極の体積が大き過ぎる場合、アドレッシング時の駆動電圧が増大するため消費電力も増大する。一方、アドレス電極の体積が小さ過ぎる場合、アドレッシング放電が不十分となる。
【００８１】
（第３の実施の形態）
図７は、本発明の第３の実施の形態によるＰＤＰ７００を示す図面である。
【００８２】
図面を参照すれば、ＰＤＰ７００は、前面基板７１０と背面基板７２０とが設けられている。前面基板７１０と背面基板７２０との間には、放電セルＤを区画するために、誘電体壁７３０と隔壁７８０とが上下に対応する位置に配置されている。隔壁７８０の内側には、赤、緑、及び青色の蛍光体層７９０がコーティングされている。
【００８３】
ここで、誘電体壁７３０内には、放電セルＤの対向する辺に沿ってＸ及びＹ電極７４０，７５０が埋め込まれ、対角線方向の放電セルＤの角部を取り囲んでいる。Ｙ電極７５０の下方には、これと交差する方向にアドレス電極７６０が配置されている。このとき、Ｙ電極７５０は、前面基板７１０と相対的に隣接して配置され、アドレス電極７６０は、背面基板７２０と相対的に隣接して配置されている。
【００８４】
上記のような構造を有する本実施の形態によるＰＤＰ７００は、画像が表示される放電セルＤを選択するために、相互交差するＹ電極７５０とアドレス電極７６０とによって、パルス電圧が印加されて放電を発生させて放電セルＤの内面に壁電荷を蓄積させる。
【００８５】
次いで、アドレス放電によって選択された放電セルＤにおいて、特定の諧調を表示するために、Ｘ電極７４０とＹ電極７５０とに特定数ほど交代で電位を印加させて、選択された放電セルＤから所定の可視光を放出させることによって、パネルに画像を表示する。
【００８６】
このとき、Ｘ電極７４０とＹ電極７５０とは、放電セルＤの対角線方向の角部をそれぞれ取り囲んでいるので、Ｘ電極７４０とＹ電極７５０との間に印加された電位によって発生する電位差によって、放電は、放電セルＤの角部から開始されて中心方向に拡大される。
【００８７】
以上のとおり、本発明は、図面に示した第１〜第３の実施の形態を参考として説明されたが、これは、例示的なものに過ぎず、当業者ならば、これから多様な変形及び均等な他の実施の形態が可能であるということが分かる。したがって、本発明の真の技術的保護範囲は、特許請求の範囲の技術的思想によって決定されねばならない。
【産業上の利用可能性】
【００８８】
本発明は、ＰＤＰに関連した技術分野に適用可能である。
【図面の簡単な説明】
【００８９】
【図１】従来のＰＤＰを示す分解斜視図である。
【図２】本発明の第１の実施の形態によるＰＤＰを示す分解斜視図である。
【図３】図２の放電電極の配置を示す平面図である。
【図４】図２の放電電極を示す分解斜視図である。
【図５】図２のパネルが結合された状態で、Ｉ−Ｉ線に沿って示す断面図である。
【図６】本発明の第２の実施の形態によるＰＤＰを示す断面図である。
【図７】本発明の第３の実施の形態によるＰＤＰを示す断面図である。
【符号の説明】
【００９０】
２００    ＰＤＰ、
２１０    前面基板、
２２０    背面基板、
２３０    誘電体壁、
２３１    第１誘電体壁、
２３２    第２誘電体壁、
２４０    Ｘ電極、
２５０    Ｙ電極、
２６０    アドレス電極、
２７０    保護膜層、
２８０    隔壁、
２８１    第１隔壁、
２８２    第２隔壁、
２９０    蛍光体層。
【図１】
2006059808.tif 000003
【図２】
2006059808.tif 000004
【図３】
2006059808.tif 000005
【図４】
2006059808.tif 000006
【図５】
2006059808.tif 000007
【図６】
2006059808.tif 000008
【図７】
2006059808.tif 000009